(57)【要約】【課題】端子台本体部に対してコイル側端子が配置された側とは反対側から、コイル側端子を接続部材に固定できる端子台の実現が望まれる。【解決手段】接続部材は、柱状部の先端面から柱状部の軸方向に突出するように設けられた雄ねじ部を備え、端子台本体部は、柱状部が貫通する柱状部貫通孔を備え、結部材保持部は、締結部材の軸方向の移動を許容しつつ、締結部材の周方向の回転を規制する回転規制部を有し、雄ねじ部が、端子挿入孔に挿入されたコイル側端子の端子貫通孔を貫通して締結部材の雌ねじ部に螺合され、コイル側端子が、柱状部の先端面と締結部材との間に挟まれて固定される端子台。【選択図】図２
2015139262.tif 000002
【特許請求の範囲】
【請求項１】
電動機のコイルを構成するコイル導体に接続された端子であって先端部に端子貫通孔を有するコイル側端子を固定するための端子台であって、
前記コイル側端子の接続先である接続部材と、前記接続部材に前記コイル側端子を固定する締結部材と、前記接続部材及び前記締結部材を保持する端子台本体部と、を備え、
前記接続部材は、柱状に形成された柱状部と、当該柱状部の先端面から当該柱状部の軸方向に突出するように設けられた雄ねじ部とを備え、
前記締結部材は、前記雄ねじ部に螺合される雌ねじ部を備え、
前記端子台本体部は、前記柱状部が前記軸方向に貫通する柱状部貫通孔と、前記軸方向に交差する方向に沿って前記コイル側端子が挿入される端子挿入孔と、前記端子挿入孔を挟んで前記軸方向における前記柱状部貫通孔側とは反対側に設けられ、前記締結部材を前記雄ねじ部と同軸上に保持する締結部材保持部と、を備え、
前記締結部材保持部は、前記締結部材の前記軸方向の移動を許容しつつ、前記締結部材の周方向の回転を規制する回転規制部を有し、
前記雄ねじ部が、前記端子挿入孔に挿入された前記コイル側端子の前記端子貫通孔を貫通して前記締結部材の前記雌ねじ部に螺合され、前記コイル側端子が、前記柱状部の前記先端面と前記締結部材との間に挟まれて固定される端子台。
【請求項２】
前記端子台本体部は、前記電動機を収容するケース部材の開口部に取り付けられる取付部と、前記開口部から挿入されて前記ケース部材の内側に配置されるケース内配置部と、を備え、
少なくとも前記端子挿入孔及び前記締結部材保持部が、前記ケース内配置部に設けられ、
前記接続部材は、前記柱状部貫通孔を貫通する部分に対して前記ケース部材の外側の部分に、前記雄ねじ部を回転させるための工具が嵌合する被操作部が形成されている請求項１に記載の端子台。
【請求項３】
前記柱状部貫通孔は、前記柱状部の外周面に嵌合する嵌合内周面を備え、
前記嵌合内周面と前記柱状部の外周面との間にシール部材が設けられている請求項１又は２に記載の端子台。
【請求項４】
前記端子台本体部は、前記電動機を収容するケース部材の開口部に取り付けられる取付部を備えると共に、前記開口部を塞ぐように取り付けられ、
前記取付部と前記ケース部材との間に、前記開口部の全周を囲むシール部材が設けられている請求項１から３のいずれか一項に記載の端子台。
【請求項５】
前記締結部材保持部は、前記締結部材の前記軸方向の移動を一定範囲内に規制する軸方向移動規制部を有する請求項１から４のいずれか一項に記載の端子台。
【請求項６】
複数の前記接続部材が互いに平行な状態で一列に並べられていると共に、複数の前記コイル側端子が、複数の前記接続部材の配設ピッチと同じピッチで、互いに平行な状態で一列に並べられている請求項１から５のいずれか一項に記載の端子台。
【発明の詳細な説明】
【技術分野】
【０００１】
電動機のコイルを構成するコイル導体に接続された端子であって先端部に端子貫通孔を有するコイル側端子を固定するための端子台に関する。
【背景技術】
【０００２】
上記のような端子台として、例えば、下記の特許文献１に記載された端子台が既に知られている。特許文献１の技術では、端子台は、接続部材を保持する端子台本体部を有しており、端子台本体部は、接続部材が貫通する貫通孔を有している。また、コイル側端子を、接続部材に固定するボルトが、接続部材とは別に設けられている。そのため、端子台本体部に対してコイル側端子が配置された同じ側で、工具によりボルトを回転させ、コイル側端子を接続部材に固定する必要がある。
特許文献１の技術では、端子台本体部に対してコイル側端子が配置された側は、電動機を収容したケース部材の内側であるので、ケース部材の内側でボルトを回転させる必要がある。そのため、工具をケース部材の内側に挿入する開口部７４がケース部材に備えられており、開口部７４を塞ぐ蓋部材７０が備えられている。
【先行技術文献】
【特許文献】
【０００３】
【特許文献１】特開平９−１８２３５２号公報
【発明の概要】
【発明が解決しようとする課題】
【０００４】
すなわち、特許文献１の技術では、端子台本体部に対してコイル側端子が配置された側に工具を挿入するために、ケース部材に専用の開口部を設け、開口部を塞ぐ蓋部材を設ける必要がある。よって、工具を挿入可能な位置に開口部を設ける必要があるなど、レイアウトの制約条件が増加すると共に、部品点数及び作業工数が増加する。
【０００５】
そこで、端子台本体部に対してコイル側端子が配置された側とは反対側から、コイル側端子を接続部材に固定できる端子台の実現が望まれる。
【課題を解決するための手段】
【０００６】
本発明に係る、電動機のコイルを構成するコイル導体に接続された端子であって先端部に端子貫通孔を有するコイル側端子を固定するための端子台の特徴構成は、前記コイル側端子の接続先である接続部材と、前記接続部材に前記コイル側端子を固定する締結部材と、前記接続部材及び前記締結部材を保持する端子台本体部と、を備え、前記接続部材は、柱状に形成された柱状部と、当該柱状部の先端面から当該柱状部の軸方向に突出するように設けられた雄ねじ部とを備え、前記締結部材は、前記雄ねじ部に螺合される雌ねじ部を備え、前記端子台本体部は、前記柱状部が前記軸方向に貫通する柱状部貫通孔と、前記軸方向に交差する方向に沿って前記コイル側端子が挿入される端子挿入孔と、前記端子挿入孔を挟んで前記軸方向における前記柱状部貫通孔側とは反対側に設けられ、前記締結部材を前記雄ねじ部と同軸上に保持する締結部材保持部と、を備え、前記締結部材保持部は、前記締結部材の前記軸方向の移動を許容しつつ、前記締結部材の周方向の回転を規制する回転規制部を有し、前記雄ねじ部が、前記端子挿入孔に挿入された前記コイル側端子の前記端子貫通孔を貫通して前記締結部材の前記雌ねじ部に螺合され、前記コイル側端子が、前記柱状部の前記先端面と前記締結部材との間に挟まれて固定される点にある。
【０００７】
この特徴構成によれば、雄ねじ部が、接続部材の柱状部の先端面から当該柱状部の軸方向に突出するように設けられているので、柱状部を柱状部貫通孔に貫通させると、柱状部貫通孔が設けられた端子台本体部の部分に対して、コイル側端子が配置された側に雄ねじ部を配置し、その反対側に柱状部を配置することができる。よって、柱状部貫通孔が設けられた端子台本体部の部分に対して、コイル側端子が配置された側とは反対側において、柱状部を回転させることで、雄ねじ部を締結部材の雌ねじ部に螺合させることができる。この螺合の際、締結部材を保持する締結部材保持部は、締結部材の軸方向の移動を許容しつつ、締結部材の周方向の回転を規制する回転規制部を有しているので、締結部材を工具により保持する必要がなく、柱状部を回転させて螺合するだけで、締結部材を軸方向に移動させて、コイル側端子を締結部材と柱状部の先端面との間に挟み込み固定することができる。
このように、端子台本体部に対してコイル側端子が配置された側とは反対側において、柱状部を回転させることにより、コイル側端子を接続部材に固定できる。よって、コイル側端子を接続部材に固定するために、端子台のレイアウトの制約条件が増加することを抑制できると共に、部品点数及び作業工数が増加することを抑制できる。
【０００８】
ここで、前記端子台本体部は、前記電動機を収容するケース部材の開口部に取り付けられる取付部と、前記開口部から挿入されて前記ケース部材の内側に配置されるケース内配置部と、を備え、少なくとも前記端子挿入孔及び前記締結部材保持部が、前記ケース内配置部に設けられ、前記接続部材は、前記柱状部貫通孔を貫通する部分に対して前記ケース部材の外側の部分に、前記雄ねじ部を回転させるための工具が嵌合する被操作部が形成されていると好適である。
【０００９】
この構成によれば、ケース部材の内側に配置された端子挿入孔及び締結部材保持部に対して、ケース部材の外側に配置された接続部材の被操作部に工具を嵌合させて回転させることで、ケース部材の外側から、雄ねじ部を雌ねじ部に螺合させて、コイル側端子を接続部材に固定できる。このため、ケース部材に、工具をケース部材の内側に挿入するための専用の開口部を設ける必要がなく、当該工具用の開口部を塞ぐ蓋部材を設ける必要もない。よって、工具を挿入可能な位置に開口部を設ける必要があるなど、レイアウトの制約条件が増加することを抑制できると共に、部品点数及び作業工数が増加することを抑制できる。
【００１０】
ここで、前記柱状部貫通孔は、前記柱状部の外周面に嵌合する嵌合内周面を備え、前記嵌合内周面と前記柱状部の外周面との間にシール部材が設けられていると好適である。
【００１１】
この構成によれば、柱状部貫通孔を柱状部が貫通した状態において、柱状部貫通孔の一端側と他端側との間のシール性を容易に確保することができる。
【００１２】
ここで、前記端子台本体部は、前記電動機を収容するケース部材の開口部に取り付けられる取付部を備えると共に、前記開口部を塞ぐように取り付けられ、前記取付部と前記ケース部材との間に、前記開口部の全周を囲むシール部材が設けられていると好適である。
【００１３】
この構成によれば、ケース部材の開口部に、端子台本体部の取付部が取り付けられた状態において、ケース部材の内側と外側との間の開口部のシール性を容易に確保することができる。
【００１４】
ここで、前記締結部材保持部は、前記締結部材の前記軸方向の移動を一定範囲内に規制する軸方向移動規制部を有すると好適である。
【００１５】
この構成によれば、締結部材が端子台本体部から脱落することを抑制しつつ、雄ねじ部が締結部材の雌ねじ部に螺合されるに従い、締結部材を軸方向に移動させて、コイル側端子を締結部材と柱状部の先端面との間に挟み込み固定することができる。
【００１６】
ここで、複数の前記接続部材が互いに平行な状態で一列に並べられていると共に、複数の前記コイル側端子が、前記複数の接続部材の配設ピッチと同じピッチで、互いに平行な状態で一列に並べられていると好適である。
【００１７】
この構成によれば、電動機から互いに平行な状態で一列に並べられて延出している複数のコイル側端子を、端子挿入孔に挿入し、互いに平行な状態で一列に並べられている状態を維持しつつ、方向を変えて、複数の接続端子に接続することができる。よって、配線の配置構成をシンプルなものとすることができる。
【図面の簡単な説明】
【００１８】
【図１】本発明の実施形態に係る、ケース部材に取り付けられた状態の端子台の断面図である。
【図２】本発明の実施形態に係る、ケース部材に取り付けられた状態の端子台の要部断面図である。
【図３】本発明の実施形態に係る端子台の分解斜視図である。
【図４】本発明の実施形態に係る、蓋部材が端子台本体部に取り付けられていない状態で、端子台を軸第二方向に見た側面図である。
【図５】本発明の実施形態に係る、雄ねじ部を雌ねじ部に螺合している途中の端子台の断面図である。
【発明を実施するための形態】
【００１９】
本発明に係る端子台１の実施形態について、図面を参照して説明する。
図１は、端子台１が取り付けられた駆動装置の断面図であり、図２は、ケース部材６０に取り付けられた状態の端子台１の断面図であり、図３は、端子台１の分解斜視図であり、図４は、蓋部材４４が端子台本体部３０に取り付けられていない状態で、端子台１を軸第二方向Ｘ２に見た側面図であり、図５は、雄ねじ部１１を雌ねじ部２６に螺合している途中の端子台１の断面図である。
【００２０】
端子台１は、電動機２のコイル３を構成するコイル導体４に接続されたコイル側端子５を固定する。端子台１は、コイル側端子５の接続先である接続部材１０と、接続部材１０にコイル側端子５を固定する締結部材２５と、接続部材１０及び締結部材２５を保持する端子台本体部３０と、を備えている。
【００２１】
接続部材１０は、柱状に形成された柱状部１２と、当該柱状部１２の先端面１３から当該柱状部１２の軸方向Ｘに突出するように設けられた雄ねじ部１１とを備えている。締結部材２５は、雄ねじ部１１に螺合される雌ねじ部２６を備えている。
端子台本体部３０は、柱状部１２が軸方向Ｘに貫通する柱状部貫通孔３１と、軸方向Ｘに交差する方向に沿ってコイル側端子５が挿入される端子挿入孔３７と、端子挿入孔３７を挟んで軸方向Ｘにおける柱状部貫通孔３１側とは反対側に設けられ、締結部材２５を雄ねじ部１１と同軸上に保持する締結部材保持部４０と、を備えている。
締結部材保持部４０は、締結部材２５の軸方向Ｘの移動を許容しつつ、締結部材２５の周方向の回転を規制する回転規制部４１を有している。雄ねじ部１１が、端子挿入孔３７に挿入されたコイル側端子５の端子貫通孔６を貫通して締結部材２５の雌ねじ部２６に螺合され、コイル側端子５が、柱状部１２の先端面１３と締結部材２５との間に挟まれて固定されている。
【００２２】
ここで、柱状部１２の軸方向Ｘは、柱状部１２の軸心に平行な方向である。柱状部１２の軸方向Ｘは、雄ねじ部１１の軸方向とも一致しており、雄ねじ部１１の軸方向と定義することもできる。軸方向Ｘにおいて、柱状部１２の先端面１３から雄ねじ部１１が延出する方向を軸第一方向Ｘ１と定義し、軸第一方向Ｘ１の反対方向を軸第二方向Ｘ２と定義する。
【００２３】
本実施形態では、端子台１は、３本のコイル導体４及びコイル側端子５を備える三相交流式の電動機２に対応した端子台とされており、図３及び図４に示すように、３つの接続部材１０及び締結部材２５を備えている。また、端子台本体部３０は、各接続部材１０の柱状部１２が貫通する３つの柱状部貫通孔３１と、各コイル側端子５が挿入される３つの端子貫通孔６と、各締結部材２５を保持する３つの締結部材保持部４０と、を備えている。
本実施形態では、３つの接続部材１０が互いに平行な状態で一列に並べられていると共に、３つのコイル側端子５が、３つの接続部材１０の配設ピッチと同じピッチで、互いに平行な状態で一列に並べられている。
ここで、３つの接続部材１０及びコイル側端子５が、一列に並べられている方向を、配列方向Ｙと定義する。
【００２４】
１．ケース部材６０への取り付け
本実施形態では、図１、図２及び図５などに示すように、端子台１は、電動機２を収容するケース部材６０の開口部６１を塞ぐように取り付けられる。そのため、端子台本体部３０は、開口部６１に取り付けられる取付部４５を備えており、開口部６１を塞ぐように取り付けられる。なお、本実施形態では、ケース部材６０は、車輪に電動機２の駆動力を伝達する変速装置などの動力伝達装置７も収容している。
【００２５】
端子台本体部３０は、開口部６１から挿入されてケース部材６０の内側に配置されるケース内配置部５０を備えており、少なくとも端子挿入孔３７及び締結部材保持部４０が、ケース内配置部５０に設けられている。そして、ケース部材６０の内側において、電動機２から延びるコイル側端子５が端子挿入孔３７に挿入される。ここで、ケース部材６０の内側とは、ケース部材６０の開口部６１が端子台１で塞がれた状態で、ケース部材６０及び端子台１の外部に露出しない部分又は領域を意味し、ケース部材６０の外側とは、ケース部材６０の開口部６１が端子台１で塞がれた状態で、ケース部材６０及び端子台１の外部に露出する部分又は領域を意味する。
【００２６】
柱状部貫通孔３１は、ケース部材６０の内側と外側とを貫通する貫通孔とされている。よって、軸第一方向Ｘ１が、柱状部貫通孔３１において、ケース部材６０の外側から内側に向かう方向に一致しており、軸第二方向Ｘ２が、柱状部貫通孔３１において、ケース部材６０の内側から外側に向かう方向に一致している。本実施形態では、軸方向Ｘは、端子台１（取付部４５）が固定されるケース部材６０の外側面６２の部分に直交する方向に一致している。また、柱状部貫通孔３１が貫通する端子台本体部３０の壁部分に対して、軸第一方向Ｘ１側がケース部材６０の内側であり、軸第二方向Ｘ２側がケース部材６０の外側である。
【００２７】
接続部材１０は、図３に示すように、ケース部材６０の外側（軸第二方向Ｘ２側）から、柱状部貫通孔３１に雄ねじ部１１の先端から挿入される。図２及び図５に示すように、雄ねじ部１１は、柱状部貫通孔３１を通過して、ケース部材６０の内側に配置される。柱状部１２の軸第一方向Ｘ１側の端部が、柱状部貫通孔３１に挿入されて当該柱状部貫通孔３１を塞ぐ。
【００２８】
本実施形態では、柱状部１２は、柱状部貫通孔３１を貫通する部分に対してケース部材６０の外側（軸第二方向Ｘ２側）にも延出している。接続部材１０における柱状部貫通孔３１を貫通する部分に対してケース部材６０の外側（軸第二方向Ｘ２側）の部分に、雄ねじ部１１を回転させるための工具７６が嵌合する被操作部１６が形成されている。本例では、被操作部１６は、柱状部１２の軸第二方向Ｘ２側の端部に形成されている。また、被操作部１６は、柱状部１２の断面が六角形状に形成された部分とされ、スパナやレンチなどの工具７６が嵌合されて回転される。
【００２９】
このように、雄ねじ部１１は、ケース部材６０の内側に配置され、同様にケース部材６０の内側に配置されたコイル側端子５の端子貫通孔６を貫通し、ケース部材６０の内側に配置された締結部材２５の雌ねじ部２６に螺合される。この際、被操作部１６は、ケース部材６０の外側に配置されているので、ケース部材６０の外側から雄ねじ部１１を回転させて雌ねじ部２６に螺合させることができる。
【００３０】
＜シール機構＞
ケース部材６０の液密性を保ち、ケース部材６０の内側から外側に、潤滑油などが漏れないように、端子台１にはシール機構が備えられている。
柱状部貫通孔３１は、図２に示すように、柱状部１２の外周面１４に嵌合する嵌合内周面３２を備えており、当該嵌合内周面３２と柱状部１２の外周面１４との間にシール部材１５が設けられている。柱状部１２における後述する大径柱部１８の外周面１４に、径方向内側に窪む円環状の溝が形成されており、当該円環状の溝に、シール部材１５として、弾性部材からなるＯリングが嵌め込まれている。
【００３１】
また、取付部４５とケース部材６０との間に、開口部６１の全周を囲む弾性部材からなるシール部材４６が設けられている。本実施形態では、取付部４５は、開口部６１を形成しているケース部材６０の部分の外側面６２に固定される。本実施形態では、端子台本体部３０は樹脂部材で構成されており、樹脂部材だけではケース部材６０との間でシール部材４６を挟み込む強度が不足している。そこで、取付部４５は、金属性の材質からなる枠部材４９を備えており、当該枠部材４９は、端子台本体部３０のフランジ部４７及びシール部材４６をケース部材６０の外側面６２との間に挟んだ状態でケース部材６０に固定される。枠部材４９により、端子台本体部３０をケース部材６０に固定すると共に、シール部材４６をケース部材６０と端子台本体部３０の間に密着させて挟み込むことができる。
【００３２】
枠部材４９は、開口部６１と重なる位置で開口しており、図３に示すように、開口部６１の全周を囲む環状の板状に形成されている。枠部材４９は、ボルトが挿入されるボルト挿入孔４８を備えており、ケース部材６０の外側（軸第二方向Ｘ２側）からボルトによりケース部材６０に固定される。フランジ部４７は、開口部６１の内側に配置された端子台本体部３０の部分から外側に向けて延出し、開口部６１の全周を囲む環状の板状に形成されている。シール部材４６は、フランジ部４７とケース部材６０の外側面６２との間に挟まれ、開口部６１の全周を囲む環状の帯状に形成されている（図４参照）。
【００３３】
＜ケース内延出部５２＞
本実施形態では、端子挿入孔３７は、図１及び図２に示すように、ケース部材６０の内側においてコイル３から延出しているコイル側端子５がそのまま挿入されるように、ケース部材６０の内側面６３に対して内側（軸第一方向Ｘ１側）に配置されている。これに伴い、締結部材保持部４０及び柱状部貫通孔３１も、ケース部材６０の内側面６３に対して内側（軸第一方向Ｘ１側）に配置されている。このため、端子挿入孔３７、締結部材保持部４０、及び柱状部貫通孔３１が形成されている端子台本体部３０の部分（以下、孔形成本体部５１と称す）は、ケース部材６０の内側面６３に対して内側（軸第一方向Ｘ１側）に配置されている。端子台本体部３０は、ケース部材６０の外側面６２に取り付けられる取付部４５（フランジ部４７）から、ケース部材６０の内側面６３に対して内側に配置される孔形成本体部５１まで延出するケース内延出部５２を備えている。
【００３４】
孔形成本体部５１は、図１から図４に示すように、立方体状のブロック状に形成されており、各辺は、軸方向Ｘ又は近接するケース部材６０の外側面６２と平行にされている。ケース内延出部５２は、環状のフランジ部４７の内側の端部から、孔形成本体部５１の軸第二方向Ｘ２側の端面における外側の環状の端部まで、軸方向Ｘに延びる筒状に形成されている。ケース内延出部５２の内側の空間は、軸第一方向Ｘ１側では孔形成本体部５１により塞がれているが、軸第二方向Ｘ２側ではケース部材６０の外側に開口している。本実施形態では、孔形成本体部５１の軸第二方向Ｘ２側の端面、及びフランジ部４７の内側の端部は、矩形状に形成されており、ケース内延出部５２は、矩形状の断面を有する筒状に形成されている。
ケース内延出部５２を設けることにより、コイル３から延出するコイル側端子５のケース部材６０の内側における位置や、ケース部材６０の壁の厚さに応じて、ケース内延出部５２の軸方向Ｘの延出長さを調節して、これらの配置に適合させることができる。
【００３５】
＜柱状部１２の外側への延出＞
柱状部１２は、図１及び図２に示すように、柱状部貫通孔３１に挿入された部分から、取付部４５に対して軸第二方向Ｘ２側の位置まで、ケース内延出部５２の内側を軸第二方向Ｘ２に延出している。
柱状部１２の軸第二方向Ｘ２側の端部には、インバータ７０に接続された中間接続部材７１（本例では、バスバー）を、接続するための中間接続部１７が形成されている。本実施形態では、中間接続部１７は、柱状部１２の軸第二方向Ｘ２側の端面から軸第一方向Ｘ１側に延びるボルト挿入孔の内周面にねじ山が形成された雌ねじ部とされている。中間接続部１７（雌ねじ部）の中心線は、柱状部１２及び雄ねじ部１１の軸心と一致している。中間接続部材７１の先端部には、ボルト７４が貫通する貫通孔７２が形成されている。ボルト７４は、軸第二方向Ｘ２側から貫通孔７２に挿入された後、中間接続部１７（雌ねじ部）に螺合されて、中間接続部材７１を柱状部１２に固定する。
【００３６】
中間接続部１７の軸第二方向Ｘ２側の端部は、ケース部材６０及び取付部４５に対して外側（軸第二方向Ｘ２側）に配置されており、ケース部材６０の外側においてインバータ７０から延出している中間接続部材７１をそのまま接続することができる。また、被操作部１６は、ケース部材６０及び取付部４５に対して外側（軸第二方向Ｘ２側）に配置されており、ケース部材６０の外側で、スパナなどの工具７６を嵌合させて回転させ易くなっている（図５参照）。
【００３７】
＜電流センサ７９＞
図１から図３に示すように、ケース内延出部５２と各柱状部１２との間に空間が生じるように構成されており、当該空間は、図１及び図２に示すように。柱状部１２を流れる電流を検出する電流センサ７９の配置空間とされている。電流センサ７９は、各柱状部１２の周囲を囲むリング状のコアを有するタイプとされている。なお、リング状のコアを有しないコアレス式の電流センサが用いられてもよい。このように、電流センサ７９を、ケース部材６０の内側と外側とをつなぐ部分に形成した空間に配置して、ケース部材６０の外側面６２に対して外側（軸第二方向Ｘ２側）の空間が電流センサ７９の配置のために狭められないようにできる。よって、インバータケース７３に覆われたインバータ７０の収容空間を小型化できる。なお、インバータケース７３は、端子台１及びインバータ７０が外部に露出しないように覆うケースであって、ケース部材６０に固定される。
【００３８】
２．端子台１の詳細構成
図１から図３に示すように、端子台本体部３０（孔形成本体部５１）は、柱状部１２が軸方向Ｘに貫通する柱状部貫通孔３１と、軸方向Ｘに交差する方向に沿ってコイル側端子５が挿入される端子挿入孔３７と、締結部材２５を雄ねじ部１１と同軸上に保持する締結部材保持部４０と、を備えている。
【００３９】
端子挿入孔３７は、柱状部貫通孔３１の軸第一方向Ｘ１側に設けられ、柱状部貫通孔３１と交差し連通している。よって、柱状部貫通孔３１は、軸第一方向Ｘ１側で端子挿入孔３７内に開口している。締結部材保持部４０は、端子挿入孔３７を挟んで軸方向Ｘにおける柱状部貫通孔３１側とは反対側（軸第一方向Ｘ１側）に設けられ、柱状部貫通孔３１と連通している。
【００４０】
柱状部貫通孔３１は、軸第一方向Ｘ１側の端部に、軸第二方向Ｘ２側の大径孔部３３より小径になった小径孔部３４を有している。なお、大径孔部３３及び小径孔部３４は円筒状に形成されている。大径孔部３３と小径孔部３４との間で内径が階段状に変化しており、円環状の孔段差面３５を有している。柱状部１２は、軸第一方向Ｘ１側の端部に、軸第二方向Ｘ２側の大径柱部１８より小径になった小径柱部１９を有している。なお、大径柱部１８及び小径柱部１９は円筒状に形成されている。大径柱部１８と小径柱部１９との間で外径が階段状に変化しており、円環状の柱段差面２０を有している。大径柱部１８と大径孔部３３とが嵌合し、小径柱部１９と小径孔部３４とが嵌合する。この構成により、雄ねじ部１１を雌ねじ部２６に螺合したときに、大径柱部１８（柱段差面２０）とコイル側端子５とにより、小径孔部３４を軸方向Ｘ両側から挟み込んで、柱状部１２が、端子台本体部３０に対して軸方向Ｘに移動することを規制することができる。よって、接続部材１０を、端子台本体部３０に、軸方向Ｘに安定的に固定することができる。なお、大径柱部１８には、上記したように、円環状の溝が形成されており、Ｏリング１５が嵌め込まれている。
【００４１】
ここで、小径柱部１９の軸方向長さは、小径孔部３４の軸方向長さよりも僅かに長くなっており、柱段差面２０が、孔段差面３５に当接した状態で、柱状部１２（小径柱部１９）の軸第一方向Ｘ１側の先端面１３が、端子挿入孔３７内に僅かに突出している。これにより、雄ねじ部１１を雌ねじ部２６に螺合したときに、柱状部１２の先端面１３とコイル側端子５とを接触させて接続することができる。
【００４２】
雄ねじ部１１を柱状部１２に固定するために、柱状部１２の軸第一方向Ｘ１側の先端面１３から軸第二方向Ｘ２側に延びる、ねじ山が形成されたボルト挿入孔２１が形成されている。雄ねじ部１１は、柱状部１２の先端面１３から軸第一方向Ｘ１側に突出する本体部に対して、軸第二方向Ｘ２側に延出する、ねじ山が形成された基礎ボルト部２２を備えている。基礎ボルト部２２が、ボルト挿入孔２１に螺合されて、雄ねじ部１１が柱状部１２に固定されている。なお、本願において、単に雄ねじ部１１と称する場合は、柱状部１２の先端面１３から軸方向Ｘに突出する本体部を指すものとする。
【００４３】
雄ねじ部１１は、端子挿入孔３７に挿入されたコイル側端子５の端子貫通孔６を貫通して締結部材２５の雌ねじ部２６に螺合され、コイル側端子５が、柱状部１２の先端面１３と締結部材２５との間に挟まれて固定される。雄ねじ部１１は、雌ねじ部２６と螺合された状態で、端子挿入孔３７及び締結部材保持部４０の内側に配置される。
【００４４】
本実施形態では、端子挿入孔３７は、柱状部貫通孔３１の中心線と交差（本例では直交）する直線を中心線として延びている。また、端子挿入孔３７の中心線は、３つの端子挿入孔３７が一列に並べられた配列方向Ｙとも直交している。端子挿入孔３７は、コイル側端子５が挿入される開口側の端部に、当該開口に向かうに従って、断面積が次第に拡大する拡大部３８が設けられており、コイル側端子５を挿入し易くなっている。
端子挿入孔３７は、端子台本体部３０を貫通しており、コイル側端子５が挿入される側の反対側も開口している。
【００４５】
締結部材２５は、雄ねじ部１１に螺合される雌ねじ部２６を備えている。本実施形態では、雌ねじ部２６は、締結部材２５を軸方向Ｘに貫通する貫通孔の内周面にねじ山が形成されて構成されている。締結部材２５の外周面には、面取り加工がされた面取加工部２８を備えており、面取加工部２８が締結部材保持部４０の回転規制部４１に嵌合して周方向の回転が規制される。本実施形態では、図２及び図３に示すように、締結部材２５の軸第二方向Ｘ２側の部分は、円柱状に形成された円柱状部２７とされており、締結部材２５の軸第一方向Ｘ１側の部分が、図３及び図４に示されるように、円柱状部２７よりも外径が大きい円柱の両側をＤカットし、二面取り加工がされた面取加工部２８とされている。
【００４６】
締結部材保持部４０は、締結部材２５を雄ねじ部１１と同軸上に保持する。締結部材保持部４０は、締結部材２５の軸方向Ｘの移動を許容しつつ、締結部材２５の周方向の回転を規制する回転規制部４１を有している。本実施形態では、締結部材保持部４０は、締結部材２５の軸方向Ｘの移動を一定範囲内に規制する軸方向移動規制部４２を有している。
本実施形態では、締結部材保持部４０の軸第二方向Ｘ２側の部分は、締結部材２５の円柱状部２７が軸方向Ｘに貫通すると共に嵌合する円柱状の導入孔４３を有しており、導入孔４３により、締結部材保持部４０と端子挿入孔３７とが連通する。導入孔４３の中心線は、柱状部貫通孔３１の中心線と一致している。導入孔４３の軸方向長さは、円柱状部２７の軸方向長さより短くされている。雄ねじ部１１が雌ねじ部２６に螺合されると、図５に示す状態から図２に示す状態になり、円柱状部２７は、導入孔４３を軸第二方向Ｘ２に移動して端子挿入孔３７の内側に突出し、円柱状部２７の軸第二方向Ｘ２側の端面が、コイル側端子５に当接する。
【００４７】
締結部材保持部４０の軸第二方向Ｘ２側の部分は、締結部材２５の面取加工部２８に合わせて面取り加工がされた回転規制部４１とされている。本実施形態では、図４に示すように、回転規制部４１は、導入孔４３よりも内径が大きい円柱の両側をＤカットし、二面取り加工がされている。回転規制部４１に、締結部材２５の面取加工部２８が嵌合して周方向の回転が規制される。図２及び図５に示すように、回転規制部４１の軸方向長さは、締結部材２５の面取加工部２８の軸方向長さより長くされており、面取加工部２８は、回転規制部４１内を軸方向Ｘに移動可能に構成されている。回転規制部４１の軸第二方向Ｘ２側は、導入孔４３との段差面により部分的に覆われており、回転規制部４１の軸第一方向Ｘ１側は、蓋部材４４により覆われている。そのため、面取加工部２８の軸方向Ｘの移動は、回転規制部４１の軸方向長さの範囲内に規制されている。本実施形態では、蓋部材４４、及び回転規制部４１と導入孔４３との段差面が軸方向移動規制部４２を構成している。
雄ねじ部１１が雌ねじ部２６に螺合されるに従い、図５に示す状態から図２に示す状態になり、面取加工部２８は、回転規制部４１内を軸第二方向Ｘ２に移動する。そして、図２に示すように、円柱状部２７の軸第二方向Ｘ２側の端面がコイル側端子５に当接し、柱状部１２の先端面１３との間でコイル側端子５を挟み込んだとき、面取加工部２８と導入孔４３との段差面との間に隙間が生じるように構成されている。
【００４８】
締結部材保持部４０は、端子台本体部３０（孔形成本体部５１）の軸第一方向Ｘ１側に開口するように形成されている。蓋部材４４は、端子台本体部３０の開口を覆うように、端子台本体部３０の軸第一方向Ｘ１側に取り付けられる。蓋部材４４は、図２及び図３に示すように、孔形成本体部５１の軸第一方向Ｘ１側の端面全体を覆うように、矩形板状に形成されている。蓋部材４４の側方両側には、それぞれ軸第二方向Ｘ２に延びる引っ掛け部７７が備えられており、引っ掛け部７７が、端子台本体部３０の側方両側に設けられた突出部７８にそれぞれ引っ掛けられて、蓋部材４４が端子台本体部３０に固定される。
【００４９】
端子台本体部３０は、蓋部材４４が取り付けられ締結部材保持部４０に締結部材２５が保持された状態で、ケース部材６０の外側から、ケース部材６０の開口部６１に挿入され、取付部４５によりケース部材６０に固定される。また、端子挿入孔３７にコイル側端子５が挿入される。その後、接続部材１０が、ケース部材６０の外側から、雄ねじ部１１を内側（軸第一方向Ｘ１側）に向けた状態で、柱状部貫通孔３１に挿入され、雄ねじ部１１が端子貫通孔６に挿入されると共に、柱状部１２が柱状部貫通孔３１に挿入される。その後、図５に示すように、接続部材１０の被操作部１６に工具７６を取り付けて、接続部材１０を回転することで、雄ねじ部１１を締結部材２５の雌ねじ部２６に螺合する。この螺合により、締結部材２５が軸第二方向Ｘ２に移動し、コイル側端子５が、柱状部１２の先端面１３と締結部材２５との間に挟まれて固定される。その後、図２に示すように、ボルト７４が、中間接続部材７１の貫通孔７２に挿入され、接続部材１０の中間接続部１７に螺合されて、中間接続部材７１が接続部材１０に接続される。その後、インバータケース７３がケース部材６０に固定されて、端子台１がインバータケース７３に覆われる。
【００５０】
本実施形態では、端子台１は、図３及び図４に示すように、電動機２から延出する電動機２用の信号線の先端に取り付けられた端子（不図示）が接続される信号線端子７５を備えている。信号線端子７５は、端子台本体部３０を軸方向Ｘに貫通して、ケース部材６０の内側と外側を接続する。信号線端子７５のケース部材６０の内側（軸第一方向Ｘ１側）の端部には、電動機２用の信号線の端子が接続される。信号線端子７５のケース部材６０の外側（軸第二方向Ｘ２側）の端部には、中間接続線の端子（不図示）が接続される。中間接続線は、インバータケース７３に収容されたインバータ７０の制御装置（不図示）に接続される。
【００５１】
信号線端子７５は、ケース部材６０の内側と外側とをシールするシール機構（不図示）を備えている。電動機２用の信号線には、電動機２のロータの回転位置を測定する回転位置センサ（例えば、レゾルバなど）用の信号線や、電動機２のコイルなどの各部の温度を測定する温度センサ用の信号線などがある。
【００５２】
〔その他の実施形態〕
最後に、本発明のその他の実施形態について説明する。なお、以下に説明する各実施形態の構成は、それぞれ単独で適用されるものに限られず、矛盾が生じない限り、他の実施形態の構成と組み合わせて適用することも可能である。
【００５３】
（１）上記の実施形態において、端子台１が取り付けられるケース部材６０が電動機２に加えて変速装置などの動力伝達装置７を収容している場合を例として説明した。しかし、本発明はこれに限定されない。すなわち、ケース部材６０が電動機２以外に、変速装置などの動力伝達装置７を収容していなくてもよく、或いは他の装置を収容していてもよい。
【００５４】
（２）上記の実施形態において、３つの接続部材１０が互いに平行な状態で一列に並べられていると共に、３つのコイル側端子５が、３つの接続部材１０の配設ピッチと同じピッチで、互いに平行な状態で一列に並べられている場合を例として説明した。しかし、本発明はこれに限定されない。すなわち、３つの接続部材１０が互いに平行な状態で並べられていなくてもよく、或いは一列に並べられていなくてもよい。また、３つのコイル側端子５が、互いに平行な状態で並べられていなくてもよく、或いは一列に並べられていなくてもよい。
【００５５】
（３）上記の実施形態において、取付部４５が、金属性の材質からなる枠部材４９を備えている場合を例として説明した。しかし、本発明はこれに限定されない。すなわち、取付部４５は、枠部材４９を備えていなくてもよく、フランジ部４７がボルトによりケース部材６０に固定されるように構成されてもよい。この場合は、フランジ部４７の厚さが厚くされ、シール部材４６を挟み込む強度が確保されるように構成されてもよい。
【００５６】
（４）上記の実施形態において、端子台１は、三相交流式の電動機２に対応した端子台とされており、３つの接続部材１０及び締結部材２５を備えている場合を例として説明した。しかし、本発明はこれに限定されない。すなわち、端子台１は、任意の数の接続部材１０及び締結部材２５を備えるように構成されてもよい。
【００５７】
（５）上記の実施形態において、柱状部貫通孔３１の嵌合内周面３２と柱状部１２の外周面１４との間にシール部材１５が設けられており、取付部４５とケース部材６０との間にシール部材４６が設けられている場合を例として説明した。しかし、本発明はこれに限定されない。すなわち、ケース部材６０の内側と外側との間の密閉性を確保する必要がない場合は、シール部材１５及びシール部材４６が設けられなくてもよい。
【産業上の利用可能性】
【００５８】
本発明は、電動機のコイルを構成するコイル導体に接続された端子であって先端部に端子貫通孔を有するコイル側端子を固定するための端子台に好適に利用することができる。
【符号の説明】
【００５９】
１        ：端子台
２        ：電動機
３        ：コイル
４        ：コイル導体
５        ：コイル側端子
６        ：端子貫通孔
１０      ：接続部材
１１      ：雄ねじ部
１２      ：柱状部
１３      ：先端面
１４      ：外周面
１５      ：シール部材（Ｏリング）
１６      ：被操作部
１８      ：大径柱部
１９      ：小径柱部
２０      ：柱段差面
２５      ：締結部材
２６      ：雌ねじ部
２７      ：円柱状部
２８      ：面取加工部
３０      ：端子台本体部
３１      ：柱状部貫通孔
３２      ：嵌合内周面
３３      ：小径孔部
３４      ：大径孔部
３５      ：孔段差面
３７      ：端子挿入孔
４０      ：締結部材保持部
４１      ：回転規制部
４２      ：軸方向移動規制部
４３      ：導入孔
４４      ：蓋部材
４５      ：取付部
４６      ：シール部材
４７      ：フランジ部
４９      ：枠部材
５０      ：ケース内配置部
５１      ：孔形成本体部
５２      ：ケース内延出部
６０      ：ケース部材
６１      ：ケース部材の開口部
６２      ：ケース部材の外側面
６３      ：ケース部材の内側面
７０      ：インバータ
７１      ：中間接続部材
７３      ：インバータケース
Ｘ        ：軸方向
Ｘ１      ：軸第一方向
Ｘ２      ：軸第二方向
Ｙ        ：配列方向
【図１】
2015139262.tif 000003
【図２】
2015139262.tif 000004
【図３】
2015139262.tif 000005
【図４】
2015139262.tif 000006
【図５】
2015139262.tif 000007